【手続補正書】
【提出日】平成25年10月10日(2013.10.10)
【手続補正１】
【補正対象書類名】特許請求の範囲
【補正対象項目名】全文
【補正方法】変更
【補正の内容】
【特許請求の範囲】
【請求項１】
源アセンブリであって、
源構成要素を受容するように構成されたハウジングであって、前記ハウジングは第１の一体型整列フィーチャを含む、ハウジングと、
ビームを提供するように構成された終端レンズであって、前記終端レンズは第２の一体型整列フィーチャを含み、前記終端レンズは、前記第１の一体型整列フィーチャが前記第２の一体型整列フィーチャに接続された際、前記ハウジングへと接続するように構築および配置され、これにより、前記終端レンズを前記ハウジング内の前記源構成要素と整列させ、前記ハウジング内の前記源構成要素を保持する、終端レンズと、を含む、源アセンブリ。
【請求項２】
前記第１の一体型整列フィーチャおよび第２の一体型整列フィーチャのうち１つはピンを含み、その他の一体型整列フィーチャはスロットを含む、請求項１に記載の源アセンブリ。
【請求項３】
前記第１の一体型整列フィーチャおよび第２の一体型整列フィーチャのうち１つはピンを含み、その他の一体型整列フィーチャは穴を含む、請求項１に記載の源アセンブリ。
【請求項４】
前記第１の一体型整列フィーチャおよび第２の一体型整列フィーチャのうち１つはフックを含み、その他の一体型整列フィーチャはピンを含む、請求項１に記載の源アセンブリ。
【請求項５】
前記第１の一体型整列フィーチャおよび第２の一体型整列フィーチャのうち１つはピンを含み、その他の一体型整列フィーチャはＬ字型スロットを含む、請求項１に記載の源アセンブリ。
【請求項６】
前記第１の一体型整列フィーチャおよび第２の一体型整列フィーチャのうち少なくとも１つは内部にある、請求項１に記載の源アセンブリ。
【請求項７】
前記第１の一体型整列フィーチャおよび第２の一体型整列フィーチャのうち少なくとも１つは外部にある、請求項１に記載の源アセンブリ。
【請求項８】
前記終端レンズは、イオンを含むビームを提供するように構成される、請求項１に記載の源アセンブリ。
【請求項９】
前記終端レンズは、電子を含むビームを提供するように構成される、請求項１に記載の源アセンブリ。
【請求項１０】
前記第１の一体型整列フィーチャは、１つの方向のみにおいて前記第２の一体型整列フィーチャに接続するように構成され、これにより、前記終端レンズを前記源構成要素と整列させ、前記ハウジング内の前記源構成要素を保持する、請求項１に記載の源アセンブリ。
【請求項１１】
前記第１の一体型整列フィーチャは、第１のバヨネット、第２のバヨネットおよび第３のバヨネットを含み、前記第１のバヨネット、第２のバヨネットおよび第３のバヨネットは、実質的に等しい円周方向間隔を以て前記ハウジング上に配置され、前記第２の一体型整列フィーチャは、第１のＬ字型スロット、第２のＬ字型スロットおよび第３のＬ字型スロットを含み、前記第１のＬ字型スロット、第２のＬ字型スロットおよび第３のＬ字型スロットはそれぞれ、前記ハウジングの前記第１のバヨネット、第２のバヨネットおよび第３のバヨネットのうち対応する１つを受容するように構成される、請求項１に記載の源アセンブリ。
【請求項１２】
前記源アセンブリは、挿入／取り外し器具を用いずに質量分析計から取り外し可能なように構成される、請求項１に記載の源アセンブリ。
【請求項１３】
前記源アセンブリは、前記ハウジング内のフィラメントをさらに含む、請求項１に記載の源アセンブリ。
【請求項１４】
前記源アセンブリは、前記ハウジング内のさらなるレンズを含む、請求項１３に記載の源アセンブリ。
【請求項１５】
前記イオンボリュームと前記終端レンズとの間の３つのレンズをさらに含む、請求項１４に記載の源アセンブリ。
【請求項１６】
前記源アセンブリは、
リペラー絶縁体に接続された源ブロック、
前記リペラー絶縁体に接続されたリペラー、
前記リペラーに接続されたイオンボリューム絶縁体、
前記リペラーに接続されたトラップ絶縁体、
前記トラップ絶縁体に接続されたトラップ、
前記フィラメントおよび第１のレンズを含むイオンボリュームであって、前記イオンボリュームは前記トラップに接続される、イオンボリューム、ならびに
前記イオンボリュームに接続された第２および第３のレンズ、を含み、
前記終端レンズは、前記第２および第３のレンズに接続される、請求項１５に記載の源アセンブリ。
【請求項１７】
前記第３のレンズと前記終端レンズとの間の付勢手段をさらに含む、請求項１６に記載の源アセンブリ。
【請求項１８】
前記終端レンズをユニタリーレンズとして構成することをさらに含み、前記ユニタリーレンズは、レンズとしての機能および前記ハウジング内の源構成要素を保持する機能を併せ持つ、請求項１に記載の源アセンブリ。
【請求項１９】
前記源アセンブリをデバイス内に取り付けるための手段をさらに含む、請求項１に記載の源アセンブリ。
【請求項２０】
前記源アセンブリを取り付ける手段は、前記源アセンブリの取り外しを挿入／取り外し器具を用いずに可能にするように構成される、請求項１９に記載の源アセンブリ。
【請求項２１】
源アセンブリであって、
源構成要素を受容するように構成されたハウジングであって、第１の１組の一体型整列フィーチャを含む、ハウジングと、
ビームを提供するように構築および配置された終端レンズであって、前記終端レンズは第２の１組の一体型整列フィーチャを含み、前記終端レンズは、前記第１の１組の一体型整列フィーチャが前記第２の１組の一体型整列フィーチャに接続された際、前記ハウジングに接続するように構築および配置され、これにより、前記終端レンズを前記ハウジング内の前記源構成要素と整列させ、前記ハウジング内の前記源構成要素を保持する、終端レンズと、を含む、源アセンブリ。
【請求項２２】
１組の前記第１の一体型整列フィーチャおよび第２の一体型整列フィーチャはピンを含み、その他の組の一体型整列フィーチャはスロットを含む、請求項２１に記載の源アセンブリ。
【請求項２３】
１組の前記第１の一体型整列フィーチャおよび第２の一体型整列フィーチャはピンを含み、その他の組の一体型整列フィーチャは穴を含む、請求項２１に記載の源アセンブリ。
【請求項２４】
１組の前記第１の一体型整列フィーチャおよび第２の一体型整列フィーチャはフックを含み、その他の組の一体型整列フィーチャはピンを含む、請求項２１に記載の源アセンブリ。
【請求項２５】
１組の前記第１の一体型整列フィーチャおよび第２の一体型整列フィーチャはピンを含み、その他の組の一体型整列フィーチャはＬ字型スロットを含む、請求項２１に記載の源アセンブリ。
【請求項２６】
前記１組の第１の一体型整列フィーチャは異なる整列フィーチャを含む、請求項２１に記載の源アセンブリ。
【請求項２７】
前記１組の第２の一体型整列フィーチャは異なる整列フィーチャを含む、請求項２１に記載の源アセンブリ。
【請求項２８】
前記終端レンズは有効にイオンを提供する、請求項２１に記載の源アセンブリ。
【請求項２９】
前記終端レンズは有効に電子を提供する、請求項２１に記載の源アセンブリ。
【請求項３０】
前記１組の第１の一体型整列フィーチャは、１つの方向のみにおいて前記第２の１組の一体型整列フィーチャへと接続するように構成され、これにより、前記終端レンズを前記源構成要素と整列させ、前記ハウジング内の前記源構成要素を保持する、請求項２１に記載の源アセンブリ。
【請求項３１】
前記第１の１組の一体型整列フィーチャは、第１のバヨネット、第２のバヨネットおよび第３のバヨネットを含み、前記第１のバヨネット、第２のバヨネットおよび第３のバヨネットは、実質的に等しい円周方向間隔を以て前記ハウジング上に配置され、前記第２の１組の一体型整列フィーチャは、第１のＬ字型スロット、第２のＬ字型スロットおよび第３のＬ字型スロットを含み、前記第１のＬ字型スロット、第２のＬ字型スロットおよび第３のＬ字型スロットはそれぞれ、前記ハウジングの前記第１のバヨネット、第２のバヨネットおよび第３のバヨネットのうち対応する１つを受容するように構成される、請求項２１に記載の源アセンブリ。
【請求項３２】
前記源アセンブリは、挿入／取り外し器具を用いずに質量分析計から取り外し可能なように構成される、請求項２１に記載の源アセンブリ。
【請求項３３】
前記源アセンブリは、前記ハウジング内のフィラメントをさらに含む、請求項２１に記載の源アセンブリ。
【請求項３４】
前記源アセンブリは、前記フィラメントと前記終端レンズとの間のさらなるレンズを含む、請求項３３に記載の源アセンブリ。
【請求項３５】
前記フィラメントと前記終端レンズとの間の３つのレンズをさらに含む、請求項３４に記載の源アセンブリ。
【請求項３６】
前記源アセンブリは、
リペラー絶縁体に接続された源ブロック、
前記リペラー絶縁体に接続されたリペラー、
前記リペラーに接続されたイオンボリューム絶縁体、
前記リペラーに接続されたトラップ絶縁体、
前記トラップ絶縁体に接続されたトラップ、
前記フィラメントおよび第１のレンズを含むイオンボリュームであって、前記イオンボリュームは前記トラップへと接続される、イオンボリューム、ならびに
前記イオンボリュームに接続された第２および第３のレンズ、を含み、
前記終端レンズは、前記第２および第３のレンズに接続される、請求項３５に記載の源アセンブリ。
【請求項３７】
前記第３のレンズと前記終端レンズとの間の付勢手段をさらに含む、請求項３６に記載の源アセンブリ。
【請求項３８】
前記終端レンズをユニタリーレンズとして構成することをさらに含み、前記ユニタリーレンズは、レンズとしての機能および前記源構成要素を前記終端レンズと整列させる機能を有効に併せ持つ、請求項２１に記載の源アセンブリ。
【請求項３９】
前記源アセンブリをデバイス内に取り付けるための手段をさらに含む、請求項２１に記載の源アセンブリ。
【請求項４０】
前記源アセンブリを取り付ける手段は、前記源アセンブリの取り外しを挿入／取り外し器具を用いずに可能にするように構成される、請求項３９に記載の源アセンブリ。
【手続補正２】
【補正対象書類名】明細書
【補正対象項目名】発明の名称
【補正方法】変更
【補正の内容】
【発明の名称】イオン源および電子源のためのアセンブリ